(57)【要約】【課題】電線カバーの取り付け作業を、作業者が電線などから離れた状態で作業できるようにする。【解決手段】電線カバー２のスリット２２を開くために電線カバー２に取り付け可能なアタッチメント３は、電線カバー２に取り付けた状態において、電線カバー２のスリット２２に挿入される第１先端部３４および第２先端部５４と、電線カバー２を挟んで配置される第１リンク部３２および第２リンク部５２と、第１リンク部３２および第２リンク部５２に設けられる一対の把持部３１，５１と、を有し、第１先端部３４は第１リンク部３２に連結され、第２先端部５４は第２リンク部５２に連結され、一対の把持部３１，５１が把持されることにより第１先端部３４および第２先端部５４が開く。【選択図】  図７
2014079070.tif 000002
【特許請求の範囲】
【請求項１】
電線カバーのスリットを開くために前記電線カバーに取り付け可能なアタッチメントであって、
前記電線カバーに取り付けた状態において、
前記電線カバーのスリットに挿入される第１先端部および第２先端部と、
前記電線カバーを挟んで配置される第１リンク部および第２リンク部と、
前記第１リンク部および前記第２リンク部に設けられる一対の把持部と、
を有し、
前記第１先端部は前記第１リンク部に連結され、前記第２先端部は前記第２リンク部に連結され、
前記一対の把持部が把持されることにより前記第１先端部および前記第２先端部が開く、
アタッチメント。
【請求項２】
前記第１リンク部および前記第２リンク部の少なくとも一方のリンク部についての前記電線カバー側の内面には、前記電線カバーへ向かって突出する突起部が形成される、
請求項１記載のアタッチメント。
【請求項３】
前記第１リンク部および前記第２リンク部の少なくとも一方のリンク部は、該リンク部の前記内面に貫通する貫通孔を有し、
前記貫通孔には、係止部材が挿入され、
前記突起部は、前記貫通孔に挿入された前記係止部材が前記内面から突出することにより形成される、
請求項２記載のアタッチメント。
【請求項４】
前記係止部材は、前記貫通孔に挿入された状態で前記第１リンク部または前記第２リンク部に固定される、
請求項３記載のアタッチメント。
【請求項５】
前記第１先端部および前記第２先端部は、前記第１リンク部および前記第２リンク部についての幅方向の一方側に設けられ、
前記電線カバーに取り付けた状態において前記電線カバーのスリットに挿入される第３先端部および第４先端部を有し、
前記第３先端部および前記第４先端部は、前記第１リンク部および前記第２リンク部についての幅方向の他方側に設けられる、
請求項１から４のいずれか一項記載のアタッチメント。
【請求項６】
電線カバーのスリットを開いて前記スリットから電線を入れることにより前記電線に前記電線カバーを取り付ける方法であって、
前記電線カバーに、前記電線カバーの前記スリットを開くための一対の把持部を有するアタッチメントを取り付け、
前記アタッチメントの前記一対の把持部を作業具で挟むことにより前記電線カバーの前記スリットを開いた状態に保持し、
前記作業具に保持された前記電線カバー内に前記スリットから前記電線を入れる、
電線カバーの間接取付方法。
【請求項７】
電線に取り付けられる電線カバーと、
前記電線カバーに取り付けられ、前記電線カバーについての前記電線を入れるためのスリットを開くアタッチメントと、
を有し、
前記アタッチメントは、
前記電線カバーに取り付けた状態において、
前記電線カバーのスリットに挿入される第１先端部および第２先端部と、
前記電線カバーを挟んで配置される第１リンク部および第２リンク部と、
前記第１リンク部および前記第２リンク部に設けられる一対の把持部と、
を有し、
前記第１先端部は前記第１リンク部に連結され、前記第２先端部は前記第２リンク部に連結され、
前記一対の把持部が把持されることにより前記第１先端部および前記第２先端部が開き、前記電線カバーの前記スリットを開く、
電線カバーモジュール。
【発明の詳細な説明】
【技術分野】
【０００１】
本発明は、アタッチメント、電線カバーの間接取付方法、および電線カバーモジュールに関する。
【背景技術】
【０００２】
架線などの電線には、たとえば工事の際に工事機器のクレーン、アームなどが直接に当たらないように、電線カバーを取り付ける。電線カバーは、たとえば特許文献１に開示されている。
【先行技術文献】
【特許文献】
【０００３】
【特許文献１】特開平１０−４０７５９号公報
【発明の概要】
【発明が解決しようとする課題】
【０００４】
電線カバーは、たとえば樹脂材料を円筒形状に形成したものである。電線カバーは、円筒側面のスリットから電線を入れることにより、電線に取り付けることができる。電線の周囲を電線カバーにより被覆できる。
しかしながら、電線カバーのスリットから電線を入れるためには、作業者は、電線の近くで作業する必要がある。作業者は、電線カバーを両手で開き、両手で持った電線カバーを電線まで持っていき、電線カバー内に電線を押し込むという、一連の作業を、電線の近くで実施する必要がある。作業者は、電線に対して電線カバーを直接工法で取り付ける必要がある。
【０００５】
このように電線カバーの取り付け作業では、作業者が電線などから離れた状態で作業できるようにすることが、求められている。
【課題を解決するための手段】
【０００６】
本発明に係るアタッチメントは、電線カバーのスリットを開くために電線カバーに取り付け可能なアタッチメントであって、電線カバーに取り付けた状態において、電線カバーのスリットに挿入される第１先端部および第２先端部と、電線カバーを挟んで配置される第１リンク部および第２リンク部と、第１リンク部および第２リンク部に設けられる一対の把持部と、を有し、第１先端部は第１リンク部に連結され、第２先端部は第２リンク部に連結され、一対の把持部が把持されることにより第１先端部および第２先端部が開く。
【０００７】
好適には、第１リンク部および第２リンク部の少なくとも一方のリンク部についての電線カバー側の内面には、電線カバーへ向かって突出する突起部が形成される、とよい。
【０００８】
好適には、第１リンク部および第２リンク部の少なくとも一方のリンク部は、該リンク部の内面に貫通する貫通孔を有し、貫通孔には、係止部材が挿入され、突起部は、貫通孔に挿入された係止部材が内面から突出することにより形成される、とよい。
【０００９】
好適には、係止部材は、貫通孔に挿入された状態で第１リンク部または第２リンク部に固定される、とよい。
【００１０】
好適には、第１先端部および第２先端部は、第１リンク部および第２リンク部についての幅方向の一方側に設けられ、電線カバーに取り付けた状態において電線カバーのスリットに挿入される第３先端部および第４先端部を有し、第３先端部および第４先端部は、第１リンク部および第２リンク部についての幅方向の他方側に設けられる、とよい。
【００１１】
本発明に係る電線カバーの間接取付方法は、電線カバーのスリットを開いてスリットから電線を入れることにより電線に電線カバーを取り付ける方法であって、電線カバーに、電線カバーのスリットを開くための一対の把持部を有するアタッチメントを取り付け、アタッチメントの一対の把持部を作業具で挟むことにより電線カバーのスリットを開いた状態に保持し、作業具に保持された電線カバー内にスリットから電線を入れる。
【００１２】
本発明に係る電線カバーモジュールは、電線に取り付けられる電線カバーと、電線カバーに取り付けられ、電線カバーについての電線を入れるためのスリットを開くアタッチメントと、を有し、アタッチメントは、電線カバーに取り付けた状態において、電線カバーのスリットに挿入される第１先端部および第２先端部と、電線カバーを挟んで配置される第１リンク部および第２リンク部と、第１リンク部および第２リンク部に設けられる一対の把持部と、を有し、第１先端部は第１リンク部に連結され、第２先端部は第２リンク部に連結され、一対の把持部が把持されることにより第１先端部および第２先端部が開き、電線カバーのスリットを開く。
【発明の効果】
【００１３】
本発明では、電線カバーに、電線カバーのスリットを開くためのアタッチメントを取り付ける。アタッチメントは、電線カバーに取り付けた状態において、電線カバーのスリットに挿入される第１先端部および第２先端部と、電線カバーを挟んで配置される第１リンク部および第２リンク部と、第１リンク部および第２リンク部に設けられる一対の把持部と、を有する。そして、第１先端部は第１リンク部に連結され、第２先端部は第２リンク部に連結され、一対の把持部が把持されることにより第１先端部および第２先端部が開く。
よって、一対の把持部をたとえばヤットコで挟むことにより、電線カバーのスリットを開き、電線に電線カバーを取り付けることができる。間接工法により、電線カバーを電線に取り付けることができる。作業者は、電線などから離れた状態で取付作業を実施できる。
【図面の簡単な説明】
【００１４】
【図１】図１は、本発明の第１実施形態に係る電線カバーモジュールの取り付け状態を示す説明図である。
【図２】図２は、蛇腹の電線カバーとして用いることができる蛇腹管の一例を示す斜視図である。
【図３】図３は、本発明の第１実施形態に係るアタッチメントの分解斜視図である。
【図４】図４は、図３のアタッチメントの斜視図である。
【図５】図５は、間接工法による電線カバーモジュールの取付作業工程の一例の説明図である。
【図６】図６は、電線カバーモジュールの製造工程を示す説明図である。
【図７】図７は、ヤットコに把持された電線カバーモジュールの開き状態の説明図である。
【図８】図８は、本発明の第２実施形態に係るアタッチメントの側面図である。
【発明を実施するための形態】
【００１５】
以下、本発明の実施形態を、図面に基づいて説明する。
【００１６】
［第１実施形態］
図１は、本発明の第１実施形態に係る電線カバーモジュール１の取り付け状態を示す説明図である。
【００１７】
図１には、電柱１１が図示されている。電柱１１の先端部には、電線１２が取り付けられる。電線１２は、図示外の左右の電柱１１との間に架け渡される。電柱１１の中段部には、変圧器１３が取り付けられている。変圧器１３は、図示外の分岐電線により、電線１２に接続される。
図１では、電線１２に電線カバーが取り付けられる。電柱１１間の直線状の電線部分には、直管の筒形状の電線カバー１４が取り付けられる。電柱１１上で湾曲する電線部分には、第１実施形態の電線カバーモジュール１が取り付けられる。
【００１８】
電線カバーモジュール１は、蛇腹の電線カバー２と、蛇腹の電線カバー２の外周に取り付けられた複数のアタッチメント３と、を有する。
図１の例では、蛇腹の電線カバー２が、屈曲した電線部分に取り付けられる。屈曲した電線部分は、蛇腹の電線カバー２により覆われる。蛇腹の電線カバー２は、屈曲した電線部分の電線カバー２として機能する。
【００１９】
図２は、蛇腹の電線カバー２として用いることができる蛇腹管２０の一例を示す斜視図である。
図２の蛇腹管２０は、たとえばＥＶＡ（エチレン酢酸ビニル）などの樹脂材料を成形したものである。蛇腹管２０は、略円筒形状の蛇腹円筒部２１、スリット２２、一対のアウターリブ部２３、およびインナーリブ部２４、を有する。
【００２０】
蛇腹円筒部２１が円筒の蛇腹構造であることにより、単なる円筒の直管構造と比べて、蛇腹円筒部２１は曲がり易い。蛇腹管２０は、電線の直線部分だけでなく、湾曲部分についても、容易に取り付けることができる。蛇腹管２０は、縁廻り線やリード線など、直管の防護具では防護できない箇所に使用できる。不特定形状に曲がっている電線部分に対して容易に取り付けることができる。
【００２１】
スリット２２は、蛇腹円筒部２１の円筒軸方向に沿って蛇腹円筒部２１の全長に渡って形成される。蛇腹円筒部２１は、スリット２２により分断され、スリット２２により開くことができる。
一対のアウターリブ部２３は、スリット２２に沿って蛇腹円筒部２１の外周面に立設される。一対のアウターリブ部２３の間に、スリット２２が位置する。
インナーリブ部２４は、蛇腹円筒部２１の内周面に設けられる。インナーリブ部２４は、スリット２２により分断される内周面についての一方側のエッジから、他方側のエッジに向かって突出する。インナーリブ部２４は、内周面に沿って突出する。スリット２２は、インナーリブ部２４により内側から覆われる。蛇腹円筒部２１に収容した電線が、エッジに当たり難くなる。
【００２２】
このような構造を有する蛇腹管２０は、直接工法により電線１２に取り付けることが可能である。
直接工法により蛇腹管２０を電線１２に取り付ける場合、作業者は、たとえば高所作業車の昇降可能な作業台に乗り、蛇腹管２０を取り付ける電線１２の近くまで移動する。作業者は、電線１２の近くにおいて取付作業を実施する。
直接工法の取付作業において、作業者は、まず、蛇腹管２０を切断する。蛇腹管２０は、たとえば５メートル、１０メートルなどの規定の長さで販売される。蛇腹管２０は、取り付ける電線１２の長さに合わせて切断される。
次に、作業者は、切断した蛇腹管２０の一対のアウターリブ部２３の間に外から両手を入れて、蛇腹管２０のスリット２２を開く。蛇腹管２０は、電線１２から脱落しない強度に形成する必要があること、また、蛇腹構造であることから、比較的強い力でスリット２２を開く必要がある。作業者は、両手で電線カバー２を開く必要がある。
蛇腹管２０のスリット２２を両手で開いた状態で、作業者は、蛇腹管２０を電線１２まで持っていき、蛇腹管２０に電線１２を押し込む。作業者は、蛇腹管２０を両手で開いた状態において蛇腹管２０内に電線１２を押し込む作業を、蛇腹管２０の全長にわたって繰り返す。
また、作業者は、蛇腹管２０を開くために両手が塞がった状態で、屈曲した電線１２に合わせて蛇腹管２０を曲げながら取り付ける必要がある。熟練した作業者は、取り付ける電線１２の周囲で蛇腹管２０を回すなどの工夫をして作業を行う。熟練作業者と、不慣れな作業者とでは、作業効率に大きな差が生じる。
また、作業中に電線１２が作業者の手が届かない位置になると、取り付け作業中に作業台を移動させる必要がある。取り付け作業は中断される。
【００２３】
このように直接工法では、電線１２などの近くにおいて作業する必要があること、作業性を向上させることに限界があること、などの課題がある。
このため、蛇腹管２０による電線カバー２を電線１２に取り付ける作業では、作業者が電線１２などから離れた状態で作業できるようにすること、すなわち間接工法により作業できるようにすることが求められる。
そこで、本実施形態では、蛇腹管２０などによる電線カバー２に対してアタッチメント３を取り付けて電線カバーモジュール１を構成し、この電線カバーモジュール１をヤットコなどの工具を用いて電線１２に取り付けることを可能にする。間接工法による作業を可能にする。
【００２４】
図３は、本発明の第１実施形態に係るアタッチメント３の分解斜視図である。
図４は、図３のアタッチメント３の斜視図である。
【００２５】
アタッチメント３は、図１に示すように、電線カバー２の外周に取り付けられる。
アタッチメント３は、第１パーツ３０、第１係止部材４０、第２パーツ５０、および第２係止部材６０を有する。
第１パーツ３０は、第１把持部３１、第１リンク部３２、第１引出部３３、第１先端部３４、第３先端部３５、第３把持部３６、および第５把持部３７を有する。
第２パーツ５０は、第２把持部５１、第２リンク部５２、第２引出部５３、第２先端部５４、第４先端部５５、第４把持部５６、および第６把持部５７を有する。
【００２６】
第１リンク部３２および第２リンク部５２は、略円筒形状の電線カバー２より一回り大きい内径のリングを均等に２分割した半円弧形状を有する。第１リンク部３２の半円弧形状の一端部と第２リンク部５２の半円弧形状の一端部とは、回転軸用のボス７１と受け孔７２とが係合することにより、互いに回転可能に連結される。第１リンク部３２と第２リンク部５２とは、リングを開閉するように互いに回動する。
【００２７】
第１把持部３１は、第１リンク部３２についての、半円弧形状の一端部寄りの外周面に立設される。第２把持部５１は、第２リンク部５２についての、半円弧形状の一端部寄りの外周面に立設される。第１把持部３１と第２把持部５１とによる一対の把持部を挟むことにより、第１リンク部３２と第２リンク部５２とによるリングを開くことができる。第１リンク部３２の他端と第２リンク部５２の他端との間が開く。
【００２８】
第１把持部３１および第２把持部５１は、第１リンク部３２および第２リンク部５２に立設された略平板形状を有する。第１把持部３１についての第２把持部５１と反対側の面と、第２把持部５１についての第１把持部３１と反対側の面とは、ローレット加工により凹凸が形成される。凹凸が形成されたローレット加工部７３の周囲には、外周リブ部７４が立設する。外周リブ部７４は、略四角形の領域であるローレット加工部７３の左右方向両側に沿って設けた一対のリブ部として設けられる。外周リブ部７４は、略平板形状の把持部についての、左右方向両側に沿って立設する。ローレット加工部７３の周囲の３方向は、一対のリブ部としての外周リブ部７４と、第１リンク部３２または第２リンク部５２の外周面とにより囲まれる。ローレット加工および３方向からの囲い込み構造により、一対の把持部を道具でしっかりと挟むことができる。一対の把持部をヤットコなどの道具で挟んだ状態で、道具と一対の把持部との間にねじり方向の力が作用したとしても、道具から一対の把持部が脱落し難くなる。
【００２９】
第１引出部３３は、半円弧形状の第１リンク部３２の他端縁から突出して設けられる。第１引出部３３は、第１リンク部３２より幅広の平板形状を有し、第１リンク部３２の左右方向両側へ突出する。アタッチメント３を電線カバー２の外周に取り付けた状態で、第１引出部３３は、電線カバー２の外周から突出する一方のアウターリブ部２３に沿って第１リンク部３２の他端部から突出する。第１引出部３３は、アウターリブ部２３より長く突出する。
【００３０】
第１先端部３４および第３先端部３５は、第１引出部３３の幅方向両端に設けられる。第１リンク部３２についての左右方向両側に第１先端部３４と第３先端部３５とが位置する。第１先端部３４および第３先端部３５は、第１引出部３３の先端縁から折り返して設けられる。アタッチメント３を電線カバー２の外周に取り付けた状態で、第１先端部３４および第３先端部３５は、電線カバー２の一対のアウターリブ部２３の間に挿入される。
【００３１】
第３把持部３６および第５把持部３７は、第１引出部３３に設けられる。第１引出部３３の左右方向の両端に、第３把持部３６および第５把持部３７が設けられる。第３把持部３６は、第１先端部３４の反対方向へ突出する。第５把持部３７は、第３先端部３５の反対方向へ突出する。
【００３２】
第２引出部５３は、半円弧形状の第２リンク部５２の他端縁から突出して設けられる。第２引出部５３は、第２リンク部５２より幅広の平板形状を有し、第２リンク部５２の左右方向両側へ突出する。アタッチメント３を電線カバー２の外周に取り付けた状態で、第２引出部５３は、電線カバー２の外周から突出する他方のアウターリブ部２３に沿って第２リンク部５２の他端部から突出する。第２引出部５３は、アウターリブ部２３より長く突出する。
【００３３】
第２先端部５４および第４先端部５５は、第２引出部５３の幅方向両端に設けられる。第２リンク部５２についての左右方向両側に第２先端部５４と第４先端部５５とが位置する。第２先端部５４および第４先端部５５は、第２引出部５３の先端縁から折り返して設けられる。アタッチメント３を電線カバー２の外周に取り付けた状態で、第２先端部５４および第４先端部５５は、電線カバー２の一対のアウターリブ部２３の間に挿入される。一対のアウターリブ部２３の間で、第２先端部５４は第１先端部３４と重なる。第４先端部５５は、第３先端部３５と重なる。
【００３４】
第４把持部５６および第６把持部５７は、第２引出部５３に設けられる。第２引出部５３の左右方向の両端に、第４把持部５６および第６把持部５７が設けられる。第４把持部５６は、第２先端部５４の反対方向へ突出する。第６把持部５７は、第４先端部５５の反対方向へ突出する。第４把持部５６は第３把持部３６とともにヤットコで挟むことができる。第６把持部５７は第５把持部３７とともにヤットコで挟むことができる。第３把持部３６、第４把持部５６、第５把持部３７および第６把持部５７にも、外側の把持面にローレット加工が施されている。
【００３５】
このように第１パーツ３０および第２パーツ５０を有するアタッチメント３は、たとえばポリカーボネートなどの高強度、高耐久性の樹脂材料を成型して形成すればよい。たとえば、第１把持部３１、第１リンク部３２、第１引出部３３、第１先端部３４、第３先端部３５、第３把持部３６および第５把持部３７を有する第１パーツ３０を射出成型により成形し、第２把持部５１、第２リンク部５２、第２引出部５３、第２先端部５４、第４先端部５５、第４把持部５６、および第６把持部５７を有する第２パーツ５０を射出成型により成形すればよい。
【００３６】
また、第１リンク部３２には、第１貫通孔３８が形成される。第１貫通孔３８は、円弧形状の第１リンク部３２の略中央部において、円弧方向に長い矩形に形成される。第１貫通孔３８は、第１リンク部３２の外面から内面へ貫通する。第１貫通孔３８には、第１係止部材４０が挿入して取り付けられる。第１係止部材４０は、第１保持部４１と、第１突出部４２とを有する。
【００３７】
第１保持部４１は、略矩形の平板形状を有する。第１係止部材４０を第１貫通孔３８に取り付けることにより、第１貫通孔３８は第１保持部４１により覆われる。略矩形の平板形状の第１保持部４１は、たとえば矩形の四隅に立設したボスを第１リンク部３２の外面に対応して形成した孔に挿入することにより、第１リンク部３２の外面に固定される。ボスの先端部にかぎ形状の折返部を形成し、折返部を第１リンク部３２の孔に引っ掛けてもよい。折返部が第１リンク部３２の孔に引っ掛かることにより、ボスが第１係止部材４０の抜け止めとして機能する。第１係止部材４０は、第１リンク部３２に取り付けた後、第１リンク部３２に固定され、第１リンク部３２から脱落し難くなる。
【００３８】
第１突出部４２は、平板形状の第１保持部４１の中央部に立設されたたとえばブレード形状を有する。第１リンク部３２に第１係止部材４０を取り付けた状態で、ブレード形状の第１突出部４２の先端部は、第１リンク部３２の内面から突出する。突出した先端部は、第１リンク部３２の内面から電線カバー２へ向かって突出する突起部として機能する。
【００３９】
第２リンク部５２には、第２貫通孔５８が形成される。第２貫通孔５８は、円弧形状の第２リンク部５２の略中央部において、円弧方向に長い矩形に形成される。第２貫通孔５８は、第２リンク部５２の外面から内面へ貫通する。第２貫通孔５８は、第１貫通孔３８と対向する。第２貫通孔５８には、第２係止部材６０が挿入して取り付けられる。第２係止部材６０は、第２保持部６１と、第２突出部６２とを有する。
【００４０】
第２保持部６１は、略矩形の平板形状を有する。第２係止部材６０を第２貫通孔５８に取り付けることにより、第２貫通孔５８は第２保持部６１により覆われる。略矩形の平板形状の第２保持部６１は、たとえば矩形の四隅にボスを立設させ、第２リンク部５２の外面に対応する孔を形成し、このボスを孔に挿入することにより、第２リンク部５２の外面に固定できる。更に、ボスの先端部にかぎ形状の折返部を形成し、折返部を第２リンク部５２の孔に引っ掛けてもよい。折返部が第２リンク部５２の孔に引っ掛かることにより、ボスが第２係止部材６０の抜け止めとして機能する。第２係止部材６０は、第２リンク部５２に取り付けた後、第１リンク部３２に固定され、第２リンク部５２から脱落し難くなる。
【００４１】
第２突出部６２は、平板形状の第２保持部６１の中央部に立設されたたとえばブレード形状を有する。第２リンク部５２に第２係止部材６０を取り付けた状態で、ブレード形状の第２突出部６２の先端部は、第２リンク部５２の内面から突出する。突出した先端部は、第２リンク部５２の内面から電線カバー２へ向かって突出する突起部として機能する。
【００４２】
図５は、間接工法による電線カバーモジュール１の取付作業工程の一例の説明図である。
図６は、電線カバーモジュール１の製造工程を示す説明図である。
【００４３】
電線１２に電線カバーモジュール１を取り付ける場合、図５に示すように、作業者は、たとえば高所作業車の昇降可能な作業台に乗り、蛇腹管２０を取り付ける電線１２の近くまで移動する（ステップＳＴ１）。
【００４４】
作業現場において、まず、図６（Ａ）に示すように規定長で販売されている蛇腹管２０を、取り付ける電線１２の長さに合わせて切断する（ステップＳＴ２）。
これにより、図６（Ｂ）に示すように、電線カバー２が作成される。
【００４５】
次に、電線カバー２に、アタッチメント３を取り付ける。
蛇腹の電線カバー２に対してアタッチメント３を取り付ける場合、図６（Ｃ）に示すように、まず、連結された第１パーツ３０および第２パーツ５０を、電線カバー２の端縁から挿入する（ステップＳＴ３）。
第１係止部材４０および第２係止部材６０が取り付けられていない状態での第１リンク部３２および第２リンク部５２による内径は、電線カバー２より大きい。第１パーツ３０および第２パーツ５０の間に電線カバー２を容易に横入れできる。
電線カバー２に装着された状態では、第１リンク部３２に連結された第１先端部３４および第３先端部３５は、電線カバー２の一対のアウターリブ部２３の間に挿入される。第２リンク部５２に連結された第２先端部５４および第４先端部５５は、電線カバー２の一対のアウターリブ部２３の間に挿入される。第１先端部３４と第２先端部５４とは、電線カバー２の一対のアウターリブ部２３の間で重なる。第３先端部３５と第４先端部５５とは、電線カバー２の一対のアウターリブ部２３の間で重なる。
【００４６】
次に、図６（Ｄ）に示すように、電線カバー２の長さ方向でのアタッチメント３の位置を決める（ステップＳＴ４）。
電線カバー２に対するアタッチメント３の取付個数および取付間隔は、たとえば取り付ける電線１２の湾曲度合いに応じて現場で調整する。アタッチメント３を把持した状態での電線カバー２の開き具合を確認しながら、取付個数および取付間隔を決定すればよい。電線カバー２の長さ方向においてたとえば２０から３０センチメートルの間隔でアタッチメント３を取り付けることにより、電線カバー２のスリット２２をその全長に渡って、一般的な電線１２の太さより広く開くことが可能である。
【００４７】
電線カバー２に対するアタッチメント３の取付位置を決めた後、図６（Ｅ）に示すように、第１リンク部３２の第１貫通孔３８に第１係止部材４０を取り付け、第２リンク部５２の第２貫通孔５８に第２係止部材６０を取り付ける（ステップＳＴ５）。
第１係止部材４０は、第１リンク部３２に固定される。第１係止部材４０の第１突出部４２の先端部は、第１リンク部３２の内面から突出する。第２係止部材６０は、第２リンク部５２に固定される。第２係止部材６０の第１突出部４２の先端部は、第２リンク部５２の内面から突出する。電線カバー２の外形は、蛇腹による凹凸形状である。第１突出部４２の先端部および第２突出部６２の先端部は、アタッチメント３の内周面から突出し、蛇腹による電線カバー２の外周の窪みに入る。アタッチメント３は、ワンタッチで所望の位置に位置決めできる。蛇腹の電線カバー２からアタッチメント３が脱落し難くなる。ボスの先端部のかぎ形状の折返部により、第１係止部材４０および第２係止部材６０は、嵌め殺しに固定される。
以上の作業により、電線カバー２の外周にアタッチメント３が取り付けられる。取り付ける電線１２に対応する長さの電線カバーモジュール１が形成される。
【００４８】
次に、図５に示すように、電線カバーモジュール１を電線１２に取り付ける。
作業者は、高所作業用のヤットコまたはホットスティックで、アタッチメント３の第１把持部３１および第２把持部５１を把持する（ステップＳＴ６）。
ヤットコ４とは、後述する図８に示すように、ペンチに長い柄を取り付けたような構造を有する。第１把持部３１および第２把持部５１をペンチで挟む。電線カバー２に取り付けた複数のアタッチメント３を、複数のヤットコ４により同時に把持してもよい。通常、電線カバーモジュール１の端に取り付けたアタッチメント３を最初に挟む。ヤットコ４で挟まれたアタッチメント３が開き、電線カバー２のスリット２２が開く。
【００４９】
図７は、ヤットコ４に把持された電線カバーモジュール１の開き状態の説明図である。図７において、電線カバー２は、点線で図示されている。
図７に示すように、ヤットコ４でアタッチメント３の第１把持部３１および第２把持部５１を把持すると、アタッチメント３の第１リンク部３２および第２リンク部５２は、互いに回転して開く。電線カバー２についてのスリット２２の反対側の部位は、第１リンク部３２と第２リンク部５２との連結部分に当たる。第１リンク部３２に連結された第１先端部３４および第３先端部３５と、第２リンク部５２に連結された第２先端部５４および第４先端部５５とにより、電線カバー２の一対のアウターリブ部２３が開く。これにより、電線カバー２は変形し、スリット２２が開く。
【００５０】
次に、作業者は、電線カバーモジュール１を電線に取り付ける（ステップＳＴ７）。
作業者は、電線カバー２のスリット２２が開いた状態の電線カバーモジュール１をヤットコ４に吊下げて、電線１２まで持ち上げる。スリット２２から電線カバー２内へ電線１２を入れる。ヤットコ４を開いてアタッチメント３から外すと、電線カバー２は元の形状に戻る。電線カバー２はスリット２２で電線１２を挟む。アタッチメント３からヤットコ４を外しても、電線カバーモジュール１は電線１２に取り付く。
作業者は、電線１２を挟んだ状態にある電線カバーモジュール１について、複数のアタッチメント３をヤットコ４で順番に把持し、スリット２２を開き、電線カバー２内へ電線１２を入れる。この作業を繰り返す。
これにより、電線１２の全体をスリット２２から電線カバー２内へ収めることができる。電線１２は、電線カバー２により被覆される。
【００５１】
なお、電線１２が湾曲している場合、電線カバー２もそれに沿って湾曲させる必要がある。電線カバー２を湾曲させるためには、作業者は、ヤットコ４で挟んだアタッチメント３をひねったり、ねじったりする必要がある。アタッチメント３の第１把持部３１および第２把持部５１には、ローレット加工による凹凸および外周リブ部７４が形成される。ヤットコ４でアタッチメント３をひねったとしても、ヤットコ４の間からアタッチメント３が脱落し難くい。ヤットコ４でアタッチメント３をひねったり、ねじったりできる。ヤットコ４を用いて電線１２の湾曲に合わせて電線カバー２のスリット２２を湾曲させることができる。電線カバーモジュール１を電線１２に対して効率よく取り付けることができる。
【００５２】
また、アタッチメント３は、第１把持部３１および第２把持部５１の反対側に突出させて、第３把持部３６および第４把持部５６、並びに、第５把持部３７および第６把持部５７の２対の把持部を有する。これらの把持部をヤットコ４で挟んで引っ張ることにより、一対のアウターリブ部２３の間に挟まれた電線部分を、インナーリブ部２４の内側へ引き込むことができる。高い作業性が得られる。また、これらの把持部をヤットコ４で挟んで引っ張ることにより、電線１２の周囲で電線カバーモジュール１を回転できる。図１に示すように電線１２が連続的に湾曲して設けられる場合、一方の湾曲部分に取り付けた電線カバーモジュール１のアタッチメント３と、他方の湾曲部分に取り付けた電線カバーモジュール１のアタッチメント３とが互いに干渉しないようにする必要がある。電線１２の周囲で電線カバーモジュール１を回転させることで、アタッチメント３が干渉しないように、姿勢を調整できる。
【００５３】
また、アタッチメント３の第１リンク部３２および第２リンク部５２の内面には、第１突出部４２の先端部と第２突出部６２の先端部とが突出する。第１突出部４２の先端部と、第２突出部６２の先端部とは、対向する。よって、ヤットコ４でアタッチメント３を挟んで、第１リンク部３２および第２リンク部５２を開いた状態では、第１リンク部３２および第２リンク部５２は共に、電線カバー２の長さ方向にずれ難い。図７で言えば、紙面に垂直な方向へずれ難い。
これに対して、第１リンク部３２および第２リンク部５２の一方のリンク部のみに突出部を突出させた場合、他方のリンク部は、電線カバー２の長さ方向にずれ易くなる。その結果、作業中にヤットコ４でアタッチメント３をひねったり、ねじったりする場合、他方のリンク部が電線カバー２に対して大きくずれる。電線カバー２のスリット２２の開きは狭くなる。電線１２に対する電線カバー２の取付作業性が低下する。
【００５４】
以上のように、本実施形態では、蛇腹管２０を所定の長さに切断してなる電線カバー２に所定の間隔で複数のアタッチメント３を取り付け、各アタッチメント３をヤットコ４で把持して電線カバー２のスリット２２を開いて、電線１２に取り付ける。ヤットコ４を用いた間接工法により、電線カバー２を電線１２に取り付けることができる。作業者は、電線１２などから離れた状態で作業できる。
【００５５】
特に、アタッチメント３において、円弧形状の第１リンク部３２には第１把持部３１と第１先端部３４とが設けられ、円弧形状の第２リンク部５２には第２把持部５１と第２先端部５４とが設けられる。第１先端部３４と第２先端部５４とは、電線カバー２の一対のアウターリブ部２３の間に挿入される。ヤットコ４により第１把持部と第２把持部とを挟むだけで、電線カバー２の一対のアウターリブ部２３の間のスリット２２を開くことができる。ヤットコ４でアタッチメント３を把持するだけで、電線カバー２のスリット２２を開くことができる。間接工法において高い作業性が得られる。
【００５６】
また、第１リンク部３２の左右方向の両側に第１先端部３４と第３先端部３５とが設けられ、第２リンク部５２の左右方向の両側に第２先端部５４と第４先端部５５とが設けられる。第１先端部３４と第２先端部５４との対と、第３先端部３５と第４先端部５５との対とは、電線カバー２の長さ方向に離れて設けられる。１つのアタッチメント３により開くことができる電線カバー２の範囲または長さを広げることができる。スリット２２を開くために電線カバー２に取り付けるアタッチメント３の個数を削減できる。
【００５７】
また、アタッチメント３の第１リンク部３２の内面には、第１係止部材４０の先端部が突出する。第１係止部材４０の先端部は、電線カバー２に向かって突出する。蛇腹の電線カバー２が挿入されたアタッチメント３は、電線カバー２から脱落し難くなる。電線カバー２の長さ方向について、アタッチメント３を位置決めできる。
【００５８】
また、第２リンク部５２の内面にも、第２係止部材６０の先端部が突出する。第１リンク部３２および第２リンク部５２から共に電線カバー２に向かう先端部を突出させることにより、電線カバー２に対して第１リンク部３２および第２リンク部５２が共にずれ難くなる。電線１２に沿って電線カバー２を湾曲させるためにヤットコ４をひねったとしても、電線カバー２のスリット２２の開き幅を維持できる。ヤットコ４でアタッチメント３をひねって電線カバー２を湾曲させた状態でも、スリット２２から電線１２を容易に入れることができる。高い作業性が得られる。
【００５９】
また、第１係止部材４０は、第１リンク部３２の外面から内面に貫通する第１貫通孔３８に挿入させた状態で固定される。第２係止部材６０は、第２リンク部５２の外面から内面に貫通する第２貫通孔５８に挿入させた状態で固定される。第１リンク部３２および第２リンク部５２の間に電線カバー２を横入れした後に、第１係止部材４０および第２係止部材６０を取り付けることにより、アタッチメント３を位置決めして固定できる。アタッチメント３に対する電線カバー２の横入れ作業性を低下させることなく、電線カバー２に対してアタッチメント３を位置決めして固定できる。
【００６０】
そして、このような本実施形態のアタッチメント３または電線カバーモジュール１を使用することにより、以下の効果が得られる。
第１に、作業者は、変圧器１３などの充電部などに近づくことなく、取り付け作業を実施できる。作業者は、間接工法で電線１２に電線カバー２を取り付けることができる。
第２に、ヤットコ４などの工具でアタッチメント３を挟むことにより電線カバー２の一対のアウターリブ部２３の間のスリット２２を開いた状態に維持できるので、熟練していない作業者であっても、電線カバー２のスリット２２に電線１２を容易に入れることができる。作業者は、特殊な技巧を必要としない。ヤットコ４などの工具以外の特別な挿入冶具などが不要である。
第３に、アタッチメント３が電線カバー２から脱落しないようになっているので、電線１２に電線カバー２を取り付けた後にアタッチメント３を回収する必要がない。余分な施工作業および施工時間が発生しない。
第４に、以上の効果の組み合わせにより、施工時間を格段に短縮できる。
【００６１】
［第２実施形態］
図８は、本発明の第２実施形態に係るアタッチメント３の側面図である。図８には、アタッチメント３とともに、ヤットコ４が点線で図示されている。
図８のアタッチメント３は、第１パーツ３０、第１係止部材４０、第２パーツ５０、および第２係止部材６０を有する。
第１パーツ３０は、第１把持部３１、第１リンク部３２、第１引出部３３、第１先端部３４、第３把持部３６、および第１突当板部８１を有する。
第２パーツ５０は、第２把持部５１、第２リンク部５２、第２引出部５３、第２先端部５４、第４把持部５６、および第２突当板部９１を有する。
【００６２】
第１パーツ３０において、第１引出部３３は、第１リンク部３２と同じ幅に形成される。第１先端部３４は、第１引出部３３の先端縁から折り返して設けられる。第３把持部３６は、第１引出部３３から、第１先端部３４の反対方向へ突出する。第１先端部３４および第１引出部３３は、第１リンク部３２と同じ幅に形成される。
第１突当板部８１は、第１リンク部３２に立設される。第１突当板部８１は、第１リンク部３２についての、第１把持部３１の取付位置から外方へ向かって突出する。第１突当板部８１は、第１リンク部３２の外側面と第１把持部３１との間から外方へ向かって突出する。
【００６３】
第２パーツ５０において、第２引出部５３は、第２リンク部５２と同じ幅に形成される。第２先端部５４は、第２引出部５３の先端縁から折り返して設けられる。第４把持部５６は、第２引出部５３から、第２先端部５４の反対方向へ突出する。第２先端部５４および第２引出部５３は、第２リンク部５２と同じ幅に形成される。
第２突当板部９１は、第２リンク部５２に立設される。第２突当板部９１は、第２リンク部５２についての、第２把持部５１の取付位置から外方へ向かって突出する。第２突当板部９１は、第２リンク部５２の外側面と第２把持部５１との間から外方へ向かって突出する。
【００６４】
第１突当板部８１および第２突当板部９１は、組み合わせることによりリング形状となる第１リンク部３２および第２リンク部５２から、共に外方へ突出する。図８に示すように第１リンク部３２および第２リンク部５２を閉じた状態では、第１突当板部８１および第２突当板部９１は、略一直線状に並ぶ。第１突当板部８１および第２突当板部９１は、第１リンク部３２および第２リンク部５２と同じ幅に形成される。
【００６５】
上述した以外のアタッチメント３の構成は、第１実施形態のものと同様である。説明を省略する。
【００６６】
以上のように、本実施形態では、第１リンク部３２の外側面と第１把持部３１との間から第１突当板部８１が外方へ向かって突出する。また、第２リンク部５２の外側面と第２把持部５１との間から第２突当板部９１が外方へ向かって突出する。
よって、図８に示すように、ヤットコ４でアタッチメント３を把持する場合、ヤットコ４の先端が第１突当板部８１および第２突当板部９１に突き当たる。図８と異なって第１突当板部８１および第２突当板部９１が無い場合、ヤットコ４の先端が、奥側へ入りすぎて、第１リンク部３２および第２リンク部５２を把持する恐れがある。ヤットコ４は、ペンチに長い柄を取り付けたような構造を有する。作業者は、電線から垂れ下がる電線カバーモジュール１のアタッチメント３を、遠くからヤットコ４で把持する必要がある。ヤットコ４の先端を第１把持部３１および第２把持部５１の外側の位置に合わせることが難しいことがある。本実施形態では、このような事態の発生を防止できる。そして、遠く離れた位置からヤットコ４でアタッチメント３を挟み、容易に開くことができる。
【００６７】
また、本実施形態では、第１パーツ３０において、第１把持部３１、第１引出部３３、第１先端部３４、第３把持部３６、および第１突当板部８１は、第１リンク部３２と同じ幅に形成される。第２パーツ５０において、第２把持部５１、第２引出部５３、第２先端部５４、第４把持部５６、および第２突当板部９１は、第２リンク部５２と同じ幅に形成される。第１実施形態の第１パーツ３０および第２パーツ５０についての、左右方向の幅が狭い。小さい金型を用いて、安価に第１パーツ３０および第２パーツ５０を射出成形できる。
【００６８】
以上の実施形態は、本発明の好適な実施形態の例であるが、本発明はこれに限定されるものではなく、発明の要旨を逸脱しない範囲において種々の変形または変更が可能である。
【００６９】
たとえば上記実施形態では、アタッチメント３は、電線カバー２を覆うパーツとして、第１パーツ３０および第２パーツ５０を有する。アタッチメント３は、電線カバー２を覆うパーツとして、３つ以上のパーツを有してもよい。この場合、パーツ同士を連結するヒンジ部分は、２つ以上で必要になる。この場合でも、たとえば連結の両端のパーツに一対の把持部を設け、これをヤットコ４で挟むことにより、電線カバー２のスリット２２を開くことができる。
【００７０】
上記実施形態では、アタッチメント３の第１リンク部３２および第２リンク部５２は、リングを２分割した円弧形状に形成される。この他にもたとえば、リンク部は、四角形の外形形状に形成されても、多角形の外形形状に形成されてもよい。
【００７１】
上記実施形態では、第１リンク部３２の内面に第１係止部材４０が突出し、第２リンク部５２の内面に第２係止部材６０が突出している。係止部材は、各リンク部に１つずつ設けられている。この他にもたとえば、複数のリンク部のうちの１つのリンク部に１つの係止部材を設けてもよい。この場合でも、電線カバー２に対してアタッチメント３が大きくずれたりし難くなる。さらに他にもたとえば、各リンク部に複数の係止部材を設けてもよい。係止部材の個数を増やすことにより、電線カバー２に対してリンク部がよりずれ難くなる。スリット２２の開口維持能力を向上できる。また、複数の係止部材は、リンク部の左右の幅方向に並べて設けてよい。この場合、リンク部において、複数の蛇腹管２０を連結できる。端材となった蛇腹管２０をアタッチメント３で連結し、所望の長さの電線カバーモジュール１として利用できる。
【００７２】
上記実施形態では、リンク部の内面から電線カバー２へ向かって突出する突起部は、リンク部とは別体の係止部材をリンク部に取り付けることにより形成される。この他にもたとえば、突起部は、リンク部の内面に形成されてよい。この場合、係止部材は不要である。
【００７３】
上記実施形態では、第１パーツ３０および第２パーツ５０は、ヤットコ４の幅に合わせて形成される。そして、第１実施形態では、第１パーツ３０および第２パーツ５０は、その左右方向の両側に２組の先端部を有する。第２実施形態では、第１パーツ３０および第２パーツ５０は、１組の先端部を有する。この他にもたとえば、第１パーツ３０および第２パーツ５０は、３組以上の先端部を有してよい。また、第１パーツ３０および第２パーツ５０は、ヤットコ４と無関係な幅に形成してよい。ただし、第１パーツ３０および第２パーツ５０は、ヤットコ４の幅に合わせて形成することにより、蛇腹の電線カバー２の湾曲能力を最大限に維持できる。
【００７４】
上記実施形態では、作業現場において蛇腹管２０を所定の長さに切断し、切断した蛇腹管２０にアタッチメント３を取り付けている。この他にもたとえば、蛇腹管２０に予め複数のアタッチメント３を取り付け、作業現場では単にこれを切断してもよい。
【００７５】
上記実施形態では、アタッチメント３は、蛇腹の電線カバー２に取り付けられる。この他にもたとえば、アタッチメント３は、直管の電線カバー２に取り付けてもよい。この場合、アタッチメント３を介した間接工法により、直管の電線カバー２を電線１２に効率良く取り付けることができる。
【符号の説明】
【００７６】
１  電線カバーモジュール、２  電線カバー、３  アタッチメント、１２  電線、２０  蛇腹管、２２  スリット、３１  第１把持部、３２  第１リンク部、３４  第１先端部、３５  第３先端部、３８  第１貫通孔、４０  第１係止部材、５１  第２把持部、５２  第２リンク部、５４  第２先端部、５５  第４先端部、５８  第２貫通孔、６０  第２係止部材
【図１】
2014079070.tif 000003
【図２】
2014079070.tif 000004
【図３】
2014079070.tif 000005
【図４】
2014079070.tif 000006
【図５】
2014079070.tif 000007
【図６】
2014079070.tif 000008
【図７】
2014079070.tif 000009
【図８】
2014079070.tif 000010